(57)【特許請求の範囲】
【請求項１】
デジタル放送波を受信手段により受信して放送番組を再生するデジタル放送受信機において、
本受信機固有の効果音データである第１の効果音データを記憶しておく記憶手段と、
前記受信手段により受信した前記デジタル放送波に含まれる効果音データである第２の効果音データを抽出する抽出手段と、
前記第１及び第２の効果音データのうち少なくとも一方の効果音データを取得し、取得した効果音データの終端にデータ内容が無音のデータである無音データを連結させて新たな効果音データを生成する生成手段と、
生成された前記新たな効果音データを再生する再生手段と、
を備えることを特徴とするデジタル放送受信機であり、
前記効果音データとは、本受信機に対して外部より操作が行われたときに再生される所定長の音声データであるデジタル放送受信機。
【発明の詳細な説明】
【技術分野】
【０００１】
本発明は、内蔵する音声データおよび受信したデジタル放送に含まれる効果音音声データを再生するデジタル放送受信機に関する。
【背景技術】
【０００２】
近年、普及しているＢＳ、ＣＳ、地上デジタル等のデジタル放送では、ユーザがデジタル放送受信機の画面上で操作をして双方向サービスなどを利用することが可能になっている。このようなサービスを利用するためユーザが画面に表示されているメニューを選択したり、再生されているコンテンツ上のボタンを押したりしたときに、これらの操作が行われたことをユーザにフィードバックするための効果音を発生させる機能がある。
【０００３】
デジタル放送で効果音として出力される音声データには、受信機に内蔵された内蔵音データと受信したデータ放送コンテンツに含まれる音声データとがある。
【０００４】
これらの音声データは、単独であるいは放送番組の音声データに合成して効果音として出力することが、放送局側により定められている。この放送局側の指示は、データ放送コンテンツに含まれるＢＭＬ文書に記述されている。
【０００５】
特許文献１には、受信機に内蔵された音声データを番組の音声に合成する方法が記載されている。この方法により、簡単な処理で受信機内蔵音を番組音声に合成することができる。
【特許文献１】特開２００３−２３５８１号公報
【発明の開示】
【発明が解決しようとする課題】
【０００６】
しかし、これらの音声データは、音声データの再生終了時刻の直前まで高レベルで音声出力が行われていると、再生終了時の急激な音声レベル低下に起因して雑音が発生することがあるという問題があった。
【０００７】
本発明は上記事情に鑑みてなされたものであり、音声データの再生終了時に雑音が発生することを抑えるデジタル放送受信機を提供することを目的とする。
【課題を解決するための手段】
【０００８】
上記目的を達成するための本発明の請求項１に記載のデジタル放送受信機は、デジタル放送波を受信手段により受信して放送番組を再生するものであり、本受信機固有の効果音データである第１の効果音データを記憶しておく記憶手段と、受信手段により受信したデジタル放送波に含まれる効果音データである第２の効果音データを抽出する抽出手段と、第１及び第２の効果音データのうち少なくとも一方の効果音データを取得し、取得した効果音データの終端にデータ内容が無音のデータである無音データを連結させて新たな効果音データを生成する生成手段と、生成された新たな効果音データを再生する再生手段と、を備えることを特徴とするデジタル放送受信機であり、効果音データとは、本受信機に対して外部より操作が行われたときに再生される所定長の音声データである。
【発明の効果】
【０００９】
本発明のデジタル放送受信機によれば、音声データの終端に無音データを連結して再生することにより、音声出力の終了時刻から再生終了時刻までの間に音声が出力されない無音再生期間を生成し、再生終了時に雑音が発生することを抑えることができる。
【発明を実施するための最良の形態】
【００１０】
〈第１実施形態〉
《デジタル放送受信機１０の構成》
本発明の第１実施形態によるデジタル放送受信機１０について、図１を参照して説明する。
【００１１】
本実施形態のデジタル放送受信機１０は、アンテナ３０で受信した放送電波を復調およびデジタル化するチューナ１１と、デジタル化された放送データを圧縮された放送映像データと圧縮された放送音声データに分離して送出する多重分離部１２と、圧縮された放送映像データを伸張して復号する放送映像データ復号部１３と、圧縮された放送音声データを伸張して復号する放送音声データ復号部１４と、復号された放送映像データとメニュー画面データやデータ放送コンテンツに含まれるグラフィックスデータとを重畳するグラフィックス映像ミックス部１５と、後述する不揮発性メモリ２２または音声データメモリ２４の音声データを再生する効果音再生部１６と、復号された放送音声データと効果音再生部１６で取得された内蔵音データまたはデータ放送コンテンツに含まれるコンテンツ音声データとを合成する音声合成部１７と、重畳された映像データを出力する映像出力部１８と、合成された音声データを出力する音声出力部１９と、チューナ１１〜音声出力部１９の各構成部とバス２６を介して接続されこれらの構成部を制御するＣＰＵ２０とを有する。
【００１２】
ＣＰＵ２０には、さらに、ＣＰＵ２０が上記の各構成部を制御するためのソフトウェアを格納するプログラムメモリ２１と、番組選局の履歴や個人情報、記憶すべき設定情報、内蔵音データ、メニュー画面データなどを格納する不揮発性メモリ２２と、ＣＰＵ２０が制御処理を行う際に使用する作業メモリ２３と、不揮発性メモリ２２から取得された内蔵音データ、受信したデータ放送コンテンツに含まれる音声データ、および無音データを格納する音声データメモリ２４と、リモコンから送信される赤外線によりコマンドを取得するリモコンＩ／Ｆ２５とがバス２６により接続されている。
【００１３】
《放送電波受信時のデジタル放送受信機１０の動作》
本実施形態におけるデジタル放送受信機１０において放送電波が受信されたときの動作について図１を参照して説明する。
【００１４】
まず、チューナ１１においてアンテナ３０から受信された電波から放送データが取得される。
【００１５】
取得された放送データは、多重分離部１２において放送映像データと放送音声データとに分離される。
【００１６】
分離された放送映像データは映像データ復号部１３に送出され、放送音声データは音声データ復号部１４に送出される。
【００１７】
映像データ復号部１３では、圧縮された放送映像データが復号され、この放送映像データに不揮発性メモリ２２から取得したメニュー画面データや受信したデータ放送コンテンツに含まれるグラフィックスデータがグラフィックス映像ミックス部１５で重畳され、映像出力部１８から出力される。
【００１８】
また、音声データ復号部１４では、圧縮された放送音声データが復号され、効果音再生部１６で取得された不揮発性メモリ２２または音声データメモリ２４上の内蔵音データまたはコンテンツ音声データが合成され、音声出力部１９から出力される。
【００１９】
《効果音再生時のデジタル放送受信機１０の動作》
上記の本実施形態のデジタル放送受信機１０において、ユーザにより画面上で操作が行われ、第１の効果音データである内蔵音データが再生されるときの処理について図２のフローチャートを参照して説明する。
【００２０】
効果音データとは、本受信機に対して外部より操作が行われたときに再生される所定長の音声データである。本実施形態においては、ユーザによりメニュー画面が取得され、操作されたときについて説明する。
【００２１】
まず、デジタル放送受信機１０に電源が投入されると、ＣＰＵ２０により必要に応じて各処理部が初期化され、放送受信待ちまたはユーザによる操作待ちの状態になる（Ｓ１）。
【００２２】
この初期化により、不揮発性メモリ２２に記憶されている全てまたは一部の内蔵音データが音声データメモリ２４に格納される。
【００２３】
ステップＳ１の状態でユーザによりリモコンが操作されると、リモコンＩ／Ｆ２５でメニュー画面の起動を指示するコマンドが受信される。リモコンＩ／Ｆ２５でコマンドが受信されると、ＣＰＵ２０により不揮発性メモリ２２からメニュー画面データが取得される。取得されたメニュー画面データは、グラフィックス映像ミックス部１５を経由して映像出力部１８により画面に表示される（Ｓ２）。
【００２４】
表示されたメニュー画面上で、ユーザによりメニューの選択や決定ボタンの押下などの操作が行われると（Ｓ３）、ＣＰＵ２０により、操作が行われたことをユーザにフィードバックするため、予め内蔵されている内蔵音データを効果音として再生する処理が行われる。内蔵音データを再生する処理について、図３〜図６を参照して説明する。
【００２５】
図３に示すように、音声データメモリ２４中の内蔵音データが格納されている領域を内蔵音データ用領域２４ａとし、データ放送コンテンツの音声データが格納されている領域をコンテンツ音声データ用領域２４ｂとし、無音データ（デジタルデータとして‘０’が連続しているデータ）が格納されている領域を無音データ用領域２４ｃとする。
【００２６】
まず、ＣＰＵ２０により、音声データメモリ２４の内蔵音データ用領域２４ａから、メニュー画面上の操作に該当する内蔵音データが取得される（Ｓ４）。
【００２７】
内蔵音データ１００の構成を図４に示す。内蔵音データ１００は、ヘッダ・データ１１０と音声データ１２０とにより構成されている。ヘッダ・データ１１０には、音声データ１２０の種類、サンプリング周波数、音声データ１２０のデータ長、音声データ１２０のフレーム数などの情報が含まれている。
【００２８】
次に、音声データメモリ２４の無音データ用領域２４ｃから、図５に示すような無音データ２００が取得される（Ｓ５）。
【００２９】
無音データ２００は、ヘッダ・データ２１０とデジタルデータとして‘０’が連続している‘０’データ２２０とにより構成されている。ヘッダ・データ２１０には、データの種類、サンプリング周波数、‘０’データ２２０のデータ長、‘０’データ２２０のフレーム数などの情報が含まれている。
【００３０】
取得された内蔵音データ１００と無音データ２００とはＣＰＵ２０の処理により連結され、図６に示すような新たな効果音データである再生音データ３００が生成される（Ｓ６）。
【００３１】
再生音データ３００は、ヘッダ・データ３１０と音声データ１２０と‘０’データ２２０とにより構成されている。ヘッダ・データ２１０には、音声データ１２０および‘０’データ２２０の種類、サンプリング周波数、音声データ１２０のデータ長と‘０’データ２２０のデータ長とを合わせたデータ長、音声データ１２０のフレーム数と‘０’データ２２０のフレーム数を合わせたフレーム数などの情報が含まれている。
【００３２】
生成された再生音データ３００は、効果音再生部１６に送出され、音声合成部１７を経由して音声出力部１９から再生される（Ｓ７）。
【００３３】
以上の第１実施形態によれば、内蔵音データに無音データが連結された状態で効果音が再生されるため、ある程度無音の状態になった後に効果音の再生が終了され、再生終了時の雑音の発生を抑えることができる。
【００３４】
〈第２実施形態〉
本発明の第２実施形態によるデジタル放送受信機について説明する。本実施形態によるデジタル放送受信機の構成および放送電波が受信されたときの動作は第１実施形態と同様であるため、詳しい説明は省略する。
【００３５】
《効果音再生時のデジタル放送受信機１０の動作》
本実施形態では、デジタル放送受信機１０において、受信されたデータ放送のコンテンツに含まれる第２の効果音データであるコンテンツ音声データを再生するときの処理について、図７のフローチャートを参照して説明する。
【００３６】
まず、デジタル放送受信機１０に電源が投入されると、ＣＰＵ２０により必要に応じて各処理部が初期化され、放送受信待ちまたはユーザによる操作待ちの状態になる（Ｓ１１）。
【００３７】
この初期化により、不揮発性メモリ２２に記憶されている全てまたは一部の内蔵音データが音声データメモリ２４に格納される。
【００３８】
ステップＳ１１の状態でアンテナ３０からデータ放送コンテンツが受信されると（Ｓ１２）、多重分離部１２でデータ放送コンテンツからコンテンツ音声データ、グラフィックスデータ、およびこのデータ放送コンテンツに関する制御方法や関連情報などが記述されたＢＭＬ文書データが取得される（Ｓ１３）。
【００３９】
ここでコンテンツ音声データは、取得された後一旦音声データメモリ２４のコンテンツ音声データ用領域２４ｂに格納される（Ｓ１４）。
【００４０】
次に、ＣＰＵ２０により取得されたＢＭＬ文書が解析される（Ｓ１５）。解析されたＢＭＬ文書の記述に従って、取得されたグラフィックスデータからコンテンツ再生画面データが形成され、グラフィックス映像ミックス部１５を経由して映像出力部１８により画面に表示される（Ｓ１６）。
【００４１】
表示されたコンテンツ再生画面上でユーザにより操作が行われると（Ｓ１７）、ＢＭＬ文書の記述に従って効果音を再生する処理が行われる。このユーザによる操作とは、例えばリモコンによりコンテンツ再生画面上のボタンが押下される操作などがある。
【００４２】
ここで再生される効果音として、内蔵音データが再生される場合もあれば受信されたデータ放送コンテンツから抽出されたコンテンツ音声データが再生される場合もある。効果音として内蔵音データが再生される場合の処理は、第１実施形態と同様である。
【００４３】
効果音として受信されたデータ放送コンテンツから抽出されたコンテンツ音声データが再生される場合の処理について説明する。
【００４４】
まず、再生するコンテンツ音声データが、音声データメモリ２４のコンテンツ音声データ用領域２４ｂから取得される（Ｓ１８）。
【００４５】
コンテンツ音声データは、図４の内蔵音データと同様にヘッダ・データ１１０と音声データ１２０とにより構成されている。
【００４６】
次に、音声データメモリ２４の無音データ用領域２４ｃから、図５に示すような無音データ２００が取得される（Ｓ１９）。
【００４７】
取得されたコンテンツ音声データと無音データ２００とはＣＰＵ２０の処理により連結され、図６に示すような再生音データ３００が生成される（Ｓ２０）。
【００４８】
生成された再生音データ３００は、効果音再生部１６に送出され、音声合成部１７を経由して音声出力部１９から再生される（Ｓ２１）。
【００４９】
以上の第２実施形態によれば、受信したデータ放送コンテンツから取得したコンテンツ音声データに無音データが連結された状態で効果音が再生されるため、ある程度無音の状態になった後に効果音の再生が終了され、再生終了時の雑音の発生を抑えることができる。
【００５０】
本実施形態においては、コンテンツ音声データはデータ放送コンテンツから取得された後、一旦音声データメモリ２４のコンテンツ音声データ用領域２４ｂに格納されているが、これには限定されず、再生時に必要に応じてデータ放送コンテンツから取得されるようにしてもよい。
【００５１】
〈第３実施形態〉
本発明の第３実施形態によるデジタル放送受信機について説明する。本実施形態によるデジタル放送受信機の構成、放送電波が受信されたときの動作は第１実施形態と同様であるため、詳しい説明は省略する。
【００５２】
《効果音再生時のデジタル放送受信機１０の動作》
本実施形態では、デジタル放送受信機１０において、第１実施形態および第２実施形態のように効果音の音声データに無音データを付加して再生するときに、ＣＰＵ２０において効果音の音声データと無音データとを別に取得して再生する処理について説明する。
【００５３】
本実施形態において、ＣＰＵ２０で内蔵音データまたはコンテンツ音声データが取得されるまでの動作（図２のステップＳ１〜ステップＳ４、または、図７のステップＳ１１〜ステップＳ１７）は、第１実施形態または第２実施形態と同様であるため、詳しい説明は省略する。
【００５４】
次に、本実施形態のデジタル放送受信機１０において、効果音が再生されるときの動作について図８のフローチャートを参照して説明する。
【００５５】
本実施形態のデジタル放送受信機１０のＣＰＵ２０において、効果音として内蔵音データまたはコンテンツ音声データが取得されると（Ｓ３１）、効果音再生部１６に送出され音声合成部１７を経由して音声出力部１９から再生される（Ｓ３２）。
【００５６】
内蔵音データまたはコンテンツ音声データの出力が末端まで達すると、再生終了処理に移る前に効果音再生部１６からＣＰＵ２０に対して割り込みが発生され、通知される（Ｓ３３）。
【００５７】
ＣＰＵ２０では、この通知が受け取られると、続けて音声データメモリ２４の無音データ用領域２４ｃから無音データ２００が取得され（Ｓ３４）、効果音再生部１６に送出され音声合成部１７を経由して音声出力部１９から再生される（Ｓ３５）。
【００５８】
以上の第３実施形態によれば、効果音としての内蔵音データまたは受信したデータ放送コンテンツから取得したコンテンツ音声データが再生された後に続けて無音データが再生されるため、ある程度無音の状態になった後に効果音の再生が終了され、再生終了時の雑音の発生を抑えることができる。
【図面の簡単な説明】
【００５９】
【図１】本発明の第１実施形態におけるデジタル放送受信機を示すブロック図である。
【図２】本発明の第１実施形態におけるデジタル放送受信機の動作を示すフローチャートである。
【図３】本発明の第１実施形態におけるデジタル放送受信機で実行されたチャンネルスキャンの結果の一例を示す表である。
【図４】本発明の第１実施形態におけるデジタル放送受信機に内蔵された音声データの構成を示す説明図である。
【図５】本発明の第１実施形態におけるデジタル放送受信機に内蔵された無音データの構成を示す説明図である。
【図６】本発明の第１実施形態におけるデジタル放送受信機により生成された再生音データの構成を示す説明図である。
【図７】本発明の第２実施形態におけるデジタル放送受信機の動作を示すフローチャートである。
【図８】本発明の第３実施形態におけるデジタル放送受信機の動作を示すフローチャートである。
【符号の説明】
【００６０】
１０…デジタル放送受信機
１１…チューナ
１２…多重分離部
１３…映像データ復号部
１４…音声データ復号部
１５…グラフィックス映像ミックス部
１６…効果音再生部
１７…音声合成部
１８…映像出力部
１９…音声出力部
２０…ＣＰＵ
２１…プログラムメモリ
２２…不揮発性メモリ
２３…作業メモリ
２４…音声データメモリ
２４ａ…内蔵音データ用領域
２４ｂ…データ放送コンテンツ音声データ用領域
２４ｃ…無音データ用領域
２５…リモコンＩ／Ｆ
２６…バス
３０…アンテナ
１００…内蔵音データ
１１０…ヘッダ・データ
１２０…音声データ
２００…無音データ
２１０…ヘッダ・データ
２２０…‘０’データ
３００…再生音データ
３１０…ヘッダ・データ
【図１】
0004661443.tif 000002
【図２】
0004661443.tif 000003
【図３】
0004661443.tif 000004
【図４】
0004661443.tif 000005
【図５】
0004661443.tif 000006
【図６】
0004661443.tif 000007
【図７】
0004661443.tif 000008
【図８】
0004661443.tif 000009